(57)【要約】      （修正有）【課題】法面上のコンクリート層の表面側に複数の壁面材を表面層として設けた土木構築物を構築する場合において、その規格通りのものを、作業性を高めつつ、確実に構築する。【解決手段】法面上にコンクリート層を設け、そのコンクリート層の表面側に複数の自然石１５により表面層を形成することを前提とする。その前提の下で、法面上に線材により骨組み構造として組立てられた架台を敷設し、その架台上に複数の土木構築物用ユニットを載置して、その複数の土木構築物用ユニットと法面との間にコンクリート充填空間１６を形成し、そのコンクリート充填空間にコンクリートを充填して、そのコンクリート内に各土木構築物用ユニットの金網を、その網目を利用することにより埋設する。これにより、土木構築物用ユニットを法面上の架台上に載置するだけで、多くの自然石の搬送、積み上げを可能とする。【選択図】図８
2012202191.tif 000002
【特許請求の範囲】
【請求項１】
法面上にコンクリート層を設け、該コンクリート層の表面側に複数の壁面材により表面層を形成する土木構築物の構築方法において、
平面視四角形状の網状体の一方の面に複数の壁面材が取付けられている土木構築物用ユニットを用意し、
前記法面上に、線材により骨組み構造として組立てられた架台を敷設し、
前記架台上に複数の前記土木構築物用ユニットを載置して、該複数の土木構築物用ユニットと前記法面との間にコンクリート充填空間を形成し、
前記コンクリート充填空間にコンクリートを充填して、該コンクリート内に前記各土木構築物用ユニットの網状体を、該各網状体の網目を利用することにより埋設する、
ことを特徴とする土木構築物の構築方法。
【請求項２】
請求項１において、
前記架台として、複数の分割架台を繋ぎ合わせることにより構成されるものを用いることを前提として、
前記分割架台の前記法面上への敷設と、該分割架台上への前記土木構築物用ユニットの載置と、該土木構築物用ユニットと前記法面との間のコンクリート充填空間へのコンクリートの充填とを一組の関連工程として、該関連工程を複数回に亘って繰り返す、
ことを特徴とする土木構築物の構築方法。
【請求項３】
請求項２において、
前記各分割架台を、前記法面からの高さを一定高さに維持しつつ法尻側から法肩側に向けてそれぞれ延びると共に横方向に所定間隔毎に平行に配置される複数の支持構造体と、該複数の支持構造体の上部に該複数の支持構造体を横切るようにしつつ該支持構造体の延び方向に一定間隔毎に配置される複数の線材と、により構成し、
前記各支持構造体として、上方に膨出された形状とされて該各支持構造体の延び方向に一定間隔毎に配置される支持脚と、該各支持構造体の延び方向に延びて該各支持脚の上部に取付けられる上側線材と、該各支持構造体の延び方向に延びて該各支持脚の幅方向両側下部にそれぞれ取付けられる一対の下側線材と、を備えるものを用いる、
ことを特徴とする土木構築物の構築方法。
【請求項４】
請求項３において、
前記関連工程を２回目以降において行うに際して、前記分割架台における各支持構造体として、前記上側線材が、１回目の関連工程で用いるものよりも法尻側に長く延びるようにされたものを用いる、
ことを特徴とする土木構築物の構築方法。
【請求項５】
請求項３において、
前記各支持構造体の下部をコンクリート製支持部材を介して前記法面に支持する、
ことを特徴とする土木構築物の構築方法。
【請求項６】
請求項１において、
前記架台内の高さを、コンクリートを供給する供給ホースの外径以上の高さとし、
前記供給ホースを前記コンクリート充填空間内に法肩側から法尻側に向けて差し込んで該供給ホースから該コンクリート充填空間内にコンクリートを供給すると共に、そのコンクリートの充填状況に応じて該供給ホースを法肩側に引き上げて、コンクリートを前記コンクリート充填空間内に横方向略一定幅の下で法尻側から法肩側にかけて充填し、
その供給ホースによる前記コンクリート充填空間内へのコンクリートの充填を、該コンクリート充填空間内において、横方向に隣り合う略一定幅毎に順次、繰り返す、
ことを特徴とする土木構築物の構築方法。
【請求項７】
請求項６において、
前記供給ホースによる前記コンクリート充填空間内へのコンクリートの充填に際して、前記土木構築物用ユニットにおける網状体の網目から該コンクリート充填空間内にバイブレータを入れて該コンクリートに対してバイブレーションの付与調整を行う、
ことを特徴とする土木構築物の構築方法。
【請求項８】
請求項１〜７のいずれか１項において、
前記土木構築物用ユニットとして、該土木構築物用ユニットにおける網状体の一方の面において、前記壁面材が該網状体の一辺に対して略平行に並ぶ列が複数列形成されていると共に、該複数列が該網状体の一辺に対向する他辺に向けて順次、配置されているものを用意し、
前記架台上に前記各土木構築物用ユニットを載置するに際して、該各土木構築物用ユニットにおける網状体の一辺と該一辺に対向する他辺とを前記法面の傾斜に基づき上下配置関係となるようにする、
ことを特徴とする土木構築物の構築方法。
【請求項９】
法面上にコンクリート層が設けられ、該コンクリート層の表面側に複数の壁面材により表面層が形成されている土木構築物において、
前記法面上に、線材により骨組み構造として組立てられた架台が敷設され、
前記架台上に複数の土木構築物用ユニットが載置され、
前記各土木構築物用ユニットとして、平面視四角形状の網状体の一方の面に複数の壁面材が取付けられて、該網状体の一方の面において、該壁面材が該網状体の一辺に対して略平行に並ぶ列が複数列形成されていると共に、該複数列が該網状体の一辺に対向する他辺に向けて順次、配置されているものが用いられ、
前記各土木構築物用ユニットが、前記架台上において、該各土木構築物用ユニットにおける網状体の一辺と該一辺に対向する他辺とが前記法面の傾斜に基づき上下配置関係となるように載置され、
前記各土木構築物用ユニットの網状体及び前記架台が前記コンクリート層に埋め込まれている、
ことを特徴とする土木構築物。
【発明の詳細な説明】
【技術分野】
【０００１】
本発明は、土木構築物及び土木構築物の構築方法に関する。
【背景技術】
【０００２】
土木構築物には、例えば練石張りタイプとして、法面（施工面）上にコンクリート層を設け、そのコンクリート層の表面側に複数の壁面材（例えば自然石）を表面層として設けたものが広く知られている。このような土木構築物の構築方法としては、例えば特許文献１に示すように、複数の壁面材の積み上げ等に案内壁材を利用したものが提案されている。具体的には、先ず、法面（施工面）の下部前方に基礎コンクリートブロックを設け、その基礎コンクリートブロックに案内壁材（例えば大型金網）の下端部を固定して、その案内壁材を片持ち状態をもって法面から所定間隔離間した状態とする。その上で、その案内壁材の表面を案内面として利用するべく、その案内壁材上でアンカーを備えた壁面材を、そのアンカーが案内壁材を貫通するようにしつつ順次、積み上げ、その後、案内壁材と法面との間にコンクリートを充填してコンクリート層を形成する。これにより、コンクリート層中に各壁面材のアンカーが埋設固定されることになり、土木構築物として、法面上のコンクリート層表面側に複数の壁面材を表面層として設けたものが構築される。
【先行技術文献】
【特許文献】
【０００３】
【特許文献１】特開２０００−１９９２１４号公報
【発明の概要】
【発明が解決しようとする課題】
【０００４】
しかし、上記土木構築物の構築においては、施工時に、大きな案内壁材の下端部を基礎コンクリートブロックに固定する作業が必要となるばかりか、作業者が個々の壁面材を案内壁材に沿わせつつ積み上げなければならず、作業の迅速性を図ることができない。しかも、仮に、複数の壁面材を案内壁材上に沿わせるように配置した場合には、案内壁材が片持ち状態であることから、その複数の壁面材の重量が予定する場合よりも重いときには、法面側に撓むおそれがあり、そのときには、法面上のコンクリート層の厚みが変化を受けることになる。
【０００５】
本発明は以上のような事情を勘案してなされたもので、その技術的課題は、法面上のコンクリート層の表面側に複数の壁面材を表面層として設けた土木構築物を構築する場合において、その規格通りのものを、作業性を高めつつ、確実に構築することにある。
【課題を解決するための手段】
【０００６】
上記技術的課題を達成するために本発明（請求項１に係る発明）にあっては、
法面上にコンクリート層を設け、該コンクリート層の表面側に複数の壁面材により表面層を形成する土木構築物の構築方法において、
平面視四角形状の網状体の一方の面に複数の壁面材が取付けられている土木構築物用ユニットを用意し、
前記法面上に、線材により骨組み構造として組立てられた架台を敷設し、
前記架台上に複数の前記土木構築物用ユニットを載置して、該複数の土木構築物用ユニットと前記法面との間にコンクリート充填空間を形成し、
前記コンクリート充填空間にコンクリートを充填して、該コンクリート内に前記各土木構築物用ユニットの網状体を、該各網状体の網目を利用することにより埋設する、
ことを特徴とする土木構築物の構築方法とした構成としてある。この請求項１の好ましい態様としては、請求項２〜８に記載の通りである。
【０００７】
また、上記技術的課題を達成するために本発明（請求項９に係る発明）にあっては、
法面上にコンクリート層が設けられ、該コンクリート層の表面側に複数の壁面材により表面層が形成されている土木構築物において、
前記法面上に、線材により骨組み構造として組立てられた架台が敷設され、
前記架台上に複数の土木構築物用ユニットが載置され、
前記各土木構築物用ユニットとして、平面視四角形状の網状体の一方の面に複数の壁面材が取付けられて、該網状体の一方の面において、該壁面材が該網状体の一辺に対して略平行に並ぶ列が複数列形成されていると共に、該複数列が該網状体の一辺に対向する他辺に向けて順次、配置されているものが用いられ、
前記各土木構築物用ユニットが、前記架台上において、該各土木構築物用ユニットにおける網状体の一辺と該一辺に対向する他辺とが前記法面の傾斜に基づき上下配置関係となるように載置され、
前記各土木構築物用ユニットの網状体及び前記架台が前記コンクリート層に埋め込まれている、
ことを特徴とする土木構築物とした構成としてある。
【発明の効果】
【０００８】
本発明（請求項１に係る発明）によれば、複数の壁面材を備える土木構築物用ユニットを搬送、積み上げ対象としていることから、土木構築物用ユニットを法面上の架台上に載置するだけで、多くの壁面材の搬送、積み上げが完了することになり、個々の壁面材を搬送、積み上げの対象とする場合に比して作業時間の短縮化を図ることができる。
その一方で、複数の土木構築物用ユニットを載置する対象物が骨組み構造の架台であることから、複数の土木構築物用ユニットと法面との間にコンクリート充填空間を形成できることは勿論、その架台に複数の土木構築物用ユニットを載置したとしても、その架台が撓むことはなく、コンクリート充填空間の規格厚み（コンクリート層の規格厚み）が変化することを防止できる。
しかも、コンクリート充填空間へのコンクリートの充填に伴い、各土木構築物用ユニットにおける網状体の網目を利用して、その各網状体をも埋設することから、その各網状体をアンカーとして埋設する作業に関して、作業者の作業負担を軽減できる。
したがって、法面上のコンクリート層の表面側に複数の壁面材を表面層として設けた土木構築物を構築するに際して、その規格通りのものを、作業性を高めつつ、確実に構築できる。
【０００９】
請求項２に係る発明によれば、架台として、複数の分割架台を繋ぎ合わせることにより構成されるものを用いることを前提として、分割架台の法面上への敷設と、分割架台上への土木構築物用ユニットの載置と、土木構築物用ユニットと法面との間のコンクリート充填空間へのコンクリートの充填とを一組の関連工程として、その関連工程を複数回に亘って繰り返すことから、土木構築物の高さを高くしなければならない場合であっても、空気の取り込みを抑えつつコンクリートを充填できる。
また、上記一組の関連工程を複数回に分けて行うことから、関連工程を繰り返すことに伴い、上方側でのコンクリートの充填ほど遅く行われることになり、下方側のコンクリートの硬化を相対的に上方側のコンクリートの硬化よりも高めて、土木構築物の高さを高くしなければならない場合であっても、その下方側において、各壁面材に対して作用する未硬化状態のコンクリートの圧力を低くすることができる。
したがって、土木構築物の高さを高くしなければならない場合であっても、その所定高さの土木構築物を的確に構築できる。
【００１０】
請求項３に係る発明によれば、各分割架台を、法面からの高さを一定高さに維持しつつ法尻側から法肩側に向けてそれぞれ延びると共に横方向に所定間隔毎に平行に配置される複数の支持構造体と、複数の支持構造体の上部に複数の支持構造体を横切るようにしつつ支持構造体の延び方向に一定間隔毎に配置される複数の線材と、により構成し、各支持構造体として、上方に膨出された形状とされて各支持構造体の延び方向に一定間隔毎に配置される支持脚と、各支持構造体の延び方向に延びて各支持脚の上部に取付けられる上側線材と、各支持構造体の延び方向に延びて該各支持脚の幅方向両側下部にそれぞれ取付けられる一対の下側線材と、を備えるものを用いることから、複数の壁面材を備えた土木構築物用ユニットを的確に支えてコンクリート充填空間を形成するものとして、好適なものを具体的に提供できる。
【００１１】
請求項４に係る発明によれば、関連工程を２回目以降において行うに際して、分割架台における各支持構造体として、上側線材が、１回目の関連工程で用いるものよりも法尻側に長く延びるようにされたものを用いることから、法面の傾斜に基づき、そのとき最上位の土木構築物用ユニットと法面との間のコンクリート充填空間から上方に溢れ出ていても、その溢れ出たコンクリートを回避しつつ、架台を段差を生じさせることなく連続的に敷設することができる。このため、関連工程を複数回に分ける場合であっても、当該土木構築物を的確に構築できる。
【００１２】
請求項５に係る発明によれば、各支持構造体の下部をコンクリート製支持部材を介して法面に支持することから、コンクリート充填空間へのコンクリートの充填により、各分割架台（各支持構造体）をコンクリート内に完全に埋設することができる。このため、各分割架台が腐食等により劣化することを極力防止できる。
【００１３】
請求項６に係る発明によれば、架台内の高さを、コンクリートを供給する供給ホースの外径以上の高さとし、供給ホースをコンクリート充填空間内に法肩側から法尻側に向けて差し込んで供給ホースからコンクリート充填空間内にコンクリートを供給すると共に、そのコンクリートの充填状況に応じて供給ホースを法肩側に引き上げて、コンクリートをコンクリート充填空間内に横方向略一定幅の下で法尻側から法肩側にかけて充填し、その供給ホースによるコンクリート充填空間内へのコンクリートの充填を、コンクリート充填空間内において、横方向に隣り合う略一定幅毎に順次、繰り返すことから、コンクリート充填空間の横方向全体にコンクリートを充填するに際して、コンクリート充填空間において、その横方向一方側から他方側の一方向にだけ、供給ホースを移動させればよくなり、横方向において、その全長の範囲で何回も往復動することにより、法尻側から全体的にコンクリートの充填高さを高めていく場合に比べて、供給ホースの移動を簡単化できる。
しかも、架台が支持構造体を所定間隔毎に配置する構成であっても、コンクリート充填空間内においては、横方向に供給ホースを移動させる必要がないことから、その各支持構造体によりコンクリート充填空間へのコンクリートの充填が阻害されることはない。このため、架台が支持構造体を所定間隔毎に配置する構成であっても、コンクリートをコンクリート充填空間内に的確に充填できる。
【００１４】
請求項７に係る発明によれば、供給ホースによるコンクリート充填空間内へのコンクリートの充填に際して、土木構築物用ユニットにおける網状体の網目から該コンクリート充填空間内にバイブレータを入れて該コンクリートに対してバイブレーションの付与調整を行うことから、コンクリートの流動調整を行って、土木構築物用ユニットにおける網状体の網目から壁面材側に溢れ出るコンクリートの量を調整できる。このため、壁面材を外部に露出するようにしつつ、土木構築物用ユニットの網状体をコンクリート内に適度な深さをもって埋設することができる。
【００１５】
請求項８に係る発明によれば、土木構築物用ユニットとして、土木構築物用ユニットにおける網状体の一方の面において、壁面材が網状体の一辺に対して略平行に並ぶ列が複数列形成されていると共に、その複数列が網状体の一辺に対向する他辺に向けて順次、配置されているものを用意し、架台上に各土木構築物用ユニットを載置するに際して、各土木構築物用ユニットにおける網状体の一辺と一辺に対向する他辺とを法面の傾斜に基づき上下配置関係となるようにすることから、土木構築物用ユニットを架台に載置するだけで、土木構築物用ユニットの複数の壁面材が横方向に並ぶ列が複数列形成されると共に、その複数列が法肩側に向けて順次、積み上げられることになり、壁面材の搬送、積み上げ作業回数を減らして、作業の迅速化を図ることができる。
【００１６】
請求項９に係る発明によれば、法面上にコンクリート層が設けられ、該コンクリート層の表面側に複数の壁面材により表面層が形成されている土木構築物において、前記法面上に、線材により骨組み構造として組立てられた架台が敷設され、前記架台上に複数の土木構築物用ユニットが載置され、前記各土木構築物用ユニットとして、平面視四角形状の網状体の一方の面に複数の壁面材が取付けられて、該網状体の一方の面において、該壁面材が該網状体の一辺に対して略平行に並ぶ列が複数列形成されていると共に、該複数列が該網状体の一辺に対向する他辺に向けて順次、配置されているものが用いられ、前記各土木構築物用ユニットが、前記架台上において、該各土木構築物用ユニットにおける網状体の一辺と該一辺に対向する他辺とが前記法面の傾斜に基づき上下配置関係となるように載置され、前記各土木構築物用ユニットの網状体及び前記架台が前記コンクリート層に埋め込まれていることから、前記請求項８に係る構築方法により得られる土木構築物を提供できる。
【図面の簡単な説明】
【００１７】
【図１】実施形態に係る護岸を示す斜視図。
【図２】実施形態に係る護岸構造を説明する縦断面図。
【図３】図２の一部拡大図。
【図４】実施形態に係る護岸の構築工程を示す工程図。
【図５】実施形態に係る工程を説明する説明図。
【図６】図５の続きの工程を説明する説明図。
【図７】法面上に実施形態に係る支持構造体が配置された状態を示す一部拡大斜視図。
【図８】図６の続きの工程を説明する説明図。
【図９】供給ホースによるコンクリート充填空間へのコンクリートの供給方法を概念的に説明する説明図。
【図１０】図８の続きの工程を説明する説明図。
【図１１】図１０の続きの工程を説明する説明図。
【発明を実施するための形態】
【００１８】
以下、本発明の実施形態について図面に基づいて説明する。
図１，図２において、符号１は、実施形態に係る練石張りタイプの土木構築物としての護岸を示す。護岸１は、施工面として、設置面２と、その設置面２から緩勾配をもって上方に延びる法面(例えば１：１．５〜５．０（好ましくは１：２．０））３とを備えており、これらは、砕石層をもって整地されている。これら設置面２及び法面３は、基本的に、河川Ｗの流れ方向（図１中、紙面直交方向）に同じ状態をもって延びている。
【００１９】
前記設置面２上には、図１，図２に示すように、基礎コンクリートブロック４が設置されている。基礎コンクリートブロック４は、河川Ｗの流れ方向において施工区間だけ延びており、その基礎コンクリートブロック４の延設方向（横方向）両側においては、法面３上に側壁が設けられている。この基礎コンクリートブロック４の上部には、傾斜した支持面４ａが形成されており、その支持面４ａは、法面３側から河川Ｗ側に向うに従って上方に向うように傾斜されている。
【００２０】
前記法面３には、図２，図３に示すように、前記基礎コンクリートブロック４から上方に向けて架台５が設けられている。架台５は、施工域全体である法面３全体に配置されており、本実施形態においては、この架台５は、分割架台としての第１〜第３架台５Ａ，５Ｂ，５Ｃを基礎コンクリートブロック４から法面３に沿いつつ上方に順次、配置することにより構成されている。各架台５Ａ（５Ｂ，５Ｃ）は、施工区間全域での長さ（基礎コンクリートブロックの全長）を確保しつつ上方に一定長さ（本実施形態では２ｍ前後）をもって延びており、その各架台５Ａ（５Ｂ，５Ｃ）は、線材としての鉄筋を用いて骨組み構造として組立てられている。
【００２１】
前記第１架台５Ａは、図６に示すように、複数の支持構造体６と、複数の線材としての複数の鉄筋７と、により組み立てられている。複数の支持構造体６は、一定高さを維持しつつ基礎コンクリートブロック４の支持面４ａから法肩側（法面３の最上部側）に向けて延びており、その複数の支持構造体６は、横方向（基礎コンクリートブロックの延設方向）に所定間隔（例えば３０〜６０ｃｍ）毎に平行に配置されている。この各支持構造体６は、具体的には、図７に示すように、複数の支持脚８と、上側線材としての上側鉄筋９と、一対の下側線材としての一対の下側鉄筋１０と、を備えている。各支持脚８は、鉄筋を曲げ加工することにより上方に膨出された形状とされて、一定長さを有する上部８ａと、その上部８ａの両端から下方に垂下する一対の脚部８ｂと、その各脚部８ｂの下端部から外方に張り出す張り出し部８ｃと、を備えており、その各支持脚８は、隣り合う支持構造体６の支持脚８に横方向に並ぶようにしつつ（図６参照）、その支持構造体６の延び方向に一定間隔毎に配置されている。上側鉄筋９は、各支持構造体６において、各支持脚８の上部８ａ上に該各支持構造体６の延び方向に延びるようにして配置されており、その上側鉄筋９と各支持構造体６における各支持脚８の上部８ａとは、溶接等により固定されている。一対の各下側鉄筋１０は、各支持構造体６における各支持脚８の張り出し部８ｃの下側に該各支持構造体６の延び方向に延びるようにそれぞれ配置されており、その各下側鉄筋１０と各支持構造体６における各支持脚８の張り出し部８ｃとは、溶接等により固定されている。
【００２２】
本実施形態においては、図６，図７に示すように、各支持構造体６の下部がコンクリート製支持部材２２を介して法面３に支持されている。具体的には、各支持構造体６において、その各支持脚毎に、一対の張り出し部８ｃ及び下側鉄筋１０がコンクリート製支持部材２２により支持され、それらは、直接、法面３に支持されていない。各支持構造体６を含む第１架台５Ａを後述のコンクリート内に完全に埋設させて、第１架台５Ａが腐食等により劣化することを極力防止するためである。
【００２３】
前記複数の鉄筋７は、図６に示すように、上記複数の各支持構造体６（上側鉄筋９）の上部を横方向に横切るように配置されている。各鉄筋７は、各支持構造体６の延び方向に一定間隔毎に配置（各支持脚８の上部位置に配置）されており、各鉄筋７と各支持構造体６（各支持脚８）とは、針金等により一体化されている。
【００２４】
前記第２，第３架台５Ｂ，５Ｃは、図１に示すように、前記第１架台５Ａと基本的に同じ構成とされている。しかし、その各架台５Ｂ（５Ｃ）の各上側鉄筋９（第１架台５Ａの各上側鉄筋９と区別するために、図１０において符号９Ａを用いる）は、その先端側部分（配置時に法尻側（法面３の最下部側）となる部分）が、図１０に示すように、第１架台５の上側鉄筋９の先端側部分よりも長く延びており、この各上側鉄筋９Ａの先端側部分と、その各上側鉄筋９Ａの先端側部分に最も近い支持脚８の脚部８ｂとは、補強材１２を介してそれぞれ連結されている。この第２，第３架台５Ｂ，５Ｃは、各上側鉄筋９Ａの先端側部分を法尻側に向けつつ、順次、法肩側に向けて法面３に配置されており、この第１〜第３架台５Ａ〜５Ｃが形成する各上面は、段差を生じることなく連続的に連なることになっている。
【００２５】
前記架台５（第１〜第３架台５Ａ〜５Ｃ）上には、図１に示すように、複数の土木構築物用ユニット１３が載置されている。各土木構築物用ユニット１３は、平面視四角形状である平面視正方形状（本実施形態では１辺が２ｍ前後）の金網（網状体）１４の一方の面に複数の壁面材として複数の自然石１５が取付けられた構成とされている。この複数の自然石１５は、金網１４の一方の面において、金網１４の一辺に対して略平行に並ぶ列を複数形成するように配置されており、その複数の自然石１５の列は、その金網１４の一辺に対向する他辺に向けて順次、配置されている。このような土木構築物用ユニット１３は、その金網１４の一辺と他辺とが法面３の傾斜に基づき架台５上で上下配置関係となるようにしつつ、基礎コンクリートブロック４の支持面４ａから法肩側に向けて順次、架台５上に配置（縦列配置）されていると共に、その各土木構築物用ユニット１３の高さ位置（各段）において、横方向に土木構築物用ユニットが隣り合うように順次、配置（横列配置）されている。これにより、架台５全体が複数の土木構築物用ユニット１３により覆われることになり、この複数の土木構築物用ユニット１３と法面３との間にコンクリート充填空間１６が形成されている。尚、図１，図２中、符号１３Ａ，１３Ｂ，１３Ｃは、横列１段目、２段目、３段目の土木構築物用ユニット群を示す。
【００２６】
前記複数の土木構築物用ユニット１３と法面３との間には、図１〜図３に示すように、コンクリート層１７が設けられている。コンクリート層１７は、前記コンクリート充填空間１６にコンクリートを充填することにより形成されており、このコンクリート層１７は、コンクリート充填空間１６を埋めているだけでなく、架台５及び各土木構築物用ユニット１３の金網１４をも埋め込んでいる。このため、各土木構築物用ユニット１３における複数の自然石１５だけが、図１に示すように、コンクリート層１７の表面から表れることになり、その各自然石１５は、コンクリート層１７内に埋め込まれた金網１４のアンカーとしての役割に基づきコンクリート層１７に保持されている。
【００２７】
このような護岸１は、図４に示す工程図に従って構築される。
先ず、図４，図５に示すように、設置面２及び法面３を形成し、設置面２上には、護岸１の施工区間の全体に亘って基礎コンクリートブロック４を形成し、法面３上には、基礎コンクリートブロック４の延設方向両側において側壁を形成する。
【００２８】
次に、法面３上に、図４，図６に示すように、基礎コンクリートブロック４に隣接させて第１架台５Ａを設置する。第１架台５Ａ上に土木構築物用ユニット１３を載置して、その土木構築物用ユニット１３と法面３との間にコンクリート充填空間１６を形成するためである。この第１架台５Ａは、この際、予め製作されている複数の支持構造体６と複数の鉄筋７とにより組み立てられる。具体的には、複数の支持構造体６が、基礎コンクリートブロック４（支持面４ａ）から法肩側に向けて延びるようにしつつ横方向に所定間隔（例えば３０〜６０ｃｍ）毎に法面３上に配置された上で、その複数の支持構造体６上に複数の鉄筋７が横方向に横切るように配置され、その各鉄筋７と各支持構造体６の上側鉄筋９等とが針金等により一体化される。これにより、複数の支持構造体６（上側鉄筋９）と複数の鉄筋７とは、格子状に配置されることになり、その配置に基づき格子状の目が形成される。この格子状の各目は、この後、第１架台５Ａ上に載置する土木構築物用ユニット１３（一辺が２ｍ前後）よりも小さく、この第１架台５Ａにより土木構築物用ユニット１３は、ほとんど撓むことなく的確に支持される。
この場合、本実施形態では、図６，図７に示すように、各支持構造体６における各支持脚８等がコンクリート製支持部材２２を介して法面３に支持される。各支持構造体６が法面３に直接、当接しないようにするためである。
【００２９】
次に、前記第１架台５Ａ上に複数の土木構築物用ユニット１３Ａを、横方向に順次、並ぶように載置する（図８の土木構築物用ユニット１３Ａの配置参照）。各土木構築物用ユニット１３Ａと法面３との間にコンクリート充填空間１６を確保しつつ、その各土木構築物用ユニット１３Ａにおける複数の自然石１５により表面層を形成するためである。自然石１５による表面層を形成するために土木構築物用ユニット１３Ａを用いているのは、１つの土木構築物用ユニット１３Ａを第１架台５Ａへ搬送することにより、多くの自然石１５の搬送を可能とすると共に、その土木構築物用ユニット１３Ａの金網１４の目を利用して、その金網１４をアンカーとすべくコンクリート内に容易に埋め込まれるようにするためである。
この場合、各土木構築物用ユニット１３Ａは、その金網１４の一辺とそれに対向する他辺とが、法面３の傾斜に基づき上下配置関係となるように第１架台５Ａ上に載置される。土木構築物用ユニット１３Ａを第１架台５Ａ上に載置するだけで、横方向に並ぶ複数の自然石１５の列を複数列形成すると共にその複数列が法面３に沿いつつ上方に順次、積み上がる配置とするためである。
【００３０】
第１架台５Ａ上に複数の土木構築物用ユニット１３Ａが、横方向に順次、並ぶように配置されると、図８に示すように、各土木構築物用ユニット１３Ａと法面３との間のコンクリート充填空間１６にコンクリートを供給する。第１架台５Ａ上における複数の土木構築物用ユニット１３Ａと法面３との間にコンクリート層１７を形成するためである。
このとき、各支持構造体６がコンクリート製支持部材２２を介して法面３に支持されていることから、各支持構造体６を含む第１架台５Ａは、コンクリートにより完全に包み込まれる。このため、第１架台５Ａが腐食等により劣化することを極力防止できる。
【００３１】
上記コンクリートとしては、スランプ８〜１３程度のものが用いられる。本実施形態においては、コンクリート充填空間１６の上下厚み（コンクリートのコンクリート充填空間１６底部までの充填し易さ）を考慮して、スランプ１２のものが用いられる。
【００３２】
上記コンクリートの供給に際しては、土木構築物用ユニット１３における自然石１５間、金網１４の目を介してバイブレータ（矢印をもって示す）１８がコンクリート内に入れられ、コンクリートに対するバイブレーション付与の有無をもって各土木構築物用ユニット１３における金網１４の目から溢れ出るコンクリートの量が調整される。すなわち、バイブレーションがコンクリートに付与された場合には、コンクリートの流動性が高まり、コンクリートは各土木構築物用ユニット１３の金網１４の目を通って上方に溢れ出易くなり、その金網１４をコンクリート内に所望の深さになるまで埋設することができることになる。その一方、コンクリートに対するバイブレーションの付与を停止すれば、コンクリートは、その粘度、金網１４の抵抗等により、コンクリートが金網１４の目からさらに溢れ出ることは止まる。このように、バイブレーションの付与に基づくコンクリートの流動性の調整により各土木構築物用ユニット１３の金網１４はコンクリート内に適度の深さをもって埋設される。
【００３３】
上記コンクリート充填空間１６へのコンクリートの供給には、図８，図９に示すように、コンクリートポンプ車（図示略）から延びる供給ホース２０が用いられる。この供給ホース２０としては、その外径（例えば３インチ）が各架台１３Ａ〜１３Ｃの内部高さよりも短いものが用いられ、その供給ホース２０は、コンクリート充填空間１６にコンクリートを供給するに際して、先ず、基礎コンクリートブロック４の延設方向一端側の側壁に近い位置からコンクリート充填空間１６内に差し込まれ、その供給端は、当初、基礎コンクリートブロック４の近くまで入れられる（図９中、下方向を向く矢印参照）。その上で、その供給ホース２０からコンクリート充填空間１６内にコンクリートが供給される。このとき、コンクリートは、コンクリートの供給に伴い横方向に多少崩れようとするが、そのコンクリートのスランプ（粘度）により、コンクリートは、そのコンクリートの供給に伴い、略一定幅Ｌをもって上昇することになる。このコンクリートの充填上面の上昇に伴い、供給ホース２０は、上方に（法肩側）に引き上げられ（図９中、上方向を向く矢印参照）、コンクリートの充填上面が第１架台５Ａの上端にまで到達すると、供給ホース２０はコンクリート充填空間１６から一旦、引き抜かれる。そして直ぐに、供給ホース２０は、基礎コンクリートブロック４の延設方向他端側に所定間隔Ｌ（例えば５０ｃｍ）だけずらした後（図９中、左向き矢印参照）、再び、コンクリート充填空間１６内に深く差し込まれ（図９中、下向き矢印参照）、前述のコンクリートの供給工程が同様に繰り返される。
【００３４】
これにより、コンクリート充填空間１６への充填に関しては、基礎コンクリートブロック４の延設方向（横方向）において、その一端側から他端側への一方向にだけ、供給ホース２０を移動させればよくなる。このため、コンクリート充填空間１６全体（基礎コンクリートブロック４の延設方向全体）にコンクリートを充填するに際して、基礎コンクリートブロック４の延設方向において、その全長の範囲で何回も往復動することにより、法尻側から全体的にコンクリートの充填高さを高めていく場合に比べて、供給ホース２０の移動を簡単化できる。
しかも、第１架台５Ａが支持構造体６を所定間隔毎に配置する構成である場合であっても、その各支持構造体６にコンクリートの供給が阻害されることはない。つまり、供給ホース２０は、コンクリート充填空間１６内で、基礎コンクリートブロック４の延び方向に移動する必要がないことから、その供給ホース２０が各支持構造体６によって移動が妨げられて、コンクリートがコンクリート充填空間１６に充填できないという問題は発生しない。
【００３５】
第１架台５Ａ上の複数の土木構築物用ユニット１３Ａの複数の自然石１５と法面３との間にコンクリートが充填されると、図１０，図１１に示すように、その１段目（１回目）において行われた一連の関連工程（架台５Ａの敷設、土木構築物用ユニット１３Ａの載置、コンクリート充填等）と同様の関連工程が２段目（２回目）において再び繰り返される。護岸１の高さを高めるためである。
すなわち、法面３上に、第１架台５Ａの上側に連続して第２架台５Ｂが配置され、その第２架台５Ｂ上に複数の土木構築物用ユニット１３が載置され、その複数の土木構築物用ユニット１３Ｂの複数の自然石１５と法面３との間にコンクリートが充填される。
【００３６】
この場合、法面３が傾斜している一方、コンクリートの充填上面が水平になろうとすることから、コンクリートをコンクリート充填空間１６内に土木構築物用ユニット１３における自然石１５の最上列まで充填すると、図９に示すように、そのコンクリートの充填上面は、コンクリート充填空間１６から法面３側に溢れた状態で水平面をなし、その溢れ出たコンクリート部分が第２架台５Ｂの連続的な配設を阻害する。このため、第２架台５Ｂにおける各支持構造体６の上側鉄筋９Ａは、その先端側部分が第１架台５Ａのものよりも長くされており、その上側鉄筋９Ａの先端側部分により、第２架台５Ｂの最初の支持脚８（第１架台に最も近い第２架台の各支持脚８）が、溢れたコンクリート部分上に乗り上げないように配置されている。これにより、第１架台５Ａの上面と第２架台５Ｂの上面とは、段差を生じることなく、連続的に連なるように配置される。
【００３７】
このような第２架台５Ｂの配置後、１段目の関連工程と同様、図１０，図１１に示すように、その第２架台５Ｂ上への複数の土木構築物用ユニット１３の載置、その複数の土木構築物用ユニット１３Ｂにおける複数の自然石１５と法面３との間へのコンクリートの供給が行われる。その２段目（２回目）の関連工程を終えると、その２段目の関連工程と同じ内容をなす３段目（３回目）の関連工程が実行され、その３段目の関連工程における土木構築物用ユニット１３Ｃの上端及びコンクリートの充填上面は、法肩に至る。
【００３８】
３段目の関連工程を終えて法肩にまで至ると、天端工程を実行すると共に、当該護岸１の下部前面側の埋め戻しを行う。天端工程においては、図１に示すように、天端コンクリート層２１が形成され、その天端コンクリート層２１の上面は平坦面に形成される。この天端工程が終了すると、上記護岸１の下部前面側の埋め戻しが行われ、当該護岸１（図１参照）の構築作業は終了することになる。
【００３９】
したがって、このような構築方法においては、複数の自然石１５を備える土木構築物用ユニット１３を搬送、積み上げ対象としていることから、土木構築物用ユニット１３を法面３上の各架台５上に載置するだけで、多くの自然石１５の搬送、積み上げが完了することになり、個々の自然石を搬送、積み上げの対象とする場合に比して作業時間の短縮化を図ることができる。
その一方で、複数の土木構築物用ユニット１３を載置する対象物が骨組み構造の各架台５Ａ〜５Ｃであることから、複数の土木構築物用ユニット１３と法面３との間にコンクリート充填空間１６を形成できることは勿論、その各架台５Ａ〜５Ｃに複数の土木構築物用ユニット１３を載置したとしても、その各架台５Ａ〜５Ｃが撓むことはなく、コンクリート充填空間１６の規格厚み（コンクリート層１７の規格厚み）が変化することを防止できる。
しかも、コンクリート充填空間１６へのコンクリートの充填に伴い、各土木構築物用ユニット１３における金網１４の網目を利用して、その各金網１４をも埋設することから、各金網１４をアンカーとして埋設する作業に関して、作業者の作業負担を軽減できる。
この結果、法面３上のコンクリート層１７の表面側に複数の自然石１５を表面層として設けた土木構築物１３を構築するに際して、その規格通りのものを、作業性を高めつつ、確実に構築できる。
【００４０】
以上実施形態について説明したが本発明においては、次のようなものを包含する。
（１）壁面材として、自然石１５の他に、擬石を用いること。
（２）各土木構築物用ユニット１５の金網１４と架台５とを連結すること。
（３）架台５上に土木構築物用ユニット１３を載置した後、その土木構築物用ユニット１３の金網１４にＵ字状金具等を差し込み保持させ、コンクリート層１７に対する抜け止め効果（アンカー効果）を高めること。
（４）コンクリート製支持部材２２を用いず、各支持構造体６における各支持脚８等を法面３に対して直接、支持させること。
（５）架台５が第１架台５Ａだけからなり、その架台５Ａの大きさ、規模が、施工規模により適宜、決定されること。
【００４１】
尚、本発明の目的は、明記されたものに限らず、実質的に好ましい或は利点として記載されたものに対応したものを提供することをも暗黙的に含むものである。
【符号の説明】
【００４２】
１  護岸（土木構築物）
３  法面
５  架台
５Ａ  第１架台（分割架台）
５Ｂ  第２架台（分割架台）
５Ｃ  第３架台（分割架台）
６  支持構造体
７  鉄筋（線材）
８  支持脚
９  上側鉄筋
１０  下側鉄筋
１３  土木構築物用ユニット
１４  金網（網状体）
１５  自然石（壁面材）
１６  コンクリート充填空間
１７  コンクリート層
１８  バイブレータ
２０  供給ホース
２２  コンクリート製支持部材
【図１】
2012202191.tif 000003
【図２】
2012202191.tif 000004
【図３】
2012202191.tif 000005
【図４】
2012202191.tif 000006
【図５】
2012202191.tif 000007
【図６】
2012202191.tif 000008
【図７】
2012202191.tif 000009
【図８】
2012202191.tif 000010
【図９】
2012202191.tif 000011
【図１０】
2012202191.tif 000012
【図１１】
2012202191.tif 000013